(57)【要約】【課題】ユーザによる操作が不要で、快適な運用設定を自動的に行うことが可能な移動通信システムおよび移動無線端末装置を提供する。【解決手段】管理センタ４００において、自動設定部４３０および設定通知制御部４４０の制御により、ユーザの年齢などに応じてユーザ情報記憶部４２０が記憶するテーブルを更新する。設定通知制御部４４０は、通信部４１０を制御してPHS端末１００と通信リンクを確立し、この通信リンクを通じてPHS端末１００から電話番号を取得する。そして設定通知制御部４４０は、上記テーブルから、上記電話番号に対応付けられた動作パラメータを読み出して、上記通信リンクを通じてPHS端末１００に設定する。これに対してPHS端末１００は、管理センタ４００から設定された動作パラメータにしたがって動作するようにしたものである。【選択図】      図１
2008085646.tif 000002
【特許請求の範囲】
【請求項１】
移動局と無線通信し、ネットワークに接続する移動通信システムにおいて、
前記ネットワークに収容される管理装置は、
前記移動局のユーザの情報を記憶する記憶手段と、
この記憶手段が記憶する情報に応じた制御信号を、前記移動局に送信する送信手段とを備え、
前記移動局は、
前記制御信号を受信する受信手段と、
この受信手段が受信した制御信号に基づいて、自己の動作を制御する制御手段とを具備することを特徴とする移動通信システム。
【請求項２】
前記送信手段は、前記記憶手段が記憶する情報に基づいて音声通信に関わる制御信号を生成し、この制御信号を前記移動局に送信し、
前記制御手段は、音声通信を行う場合に、前記制御信号に基づいて、音声通信に関わる動作を制御することを特徴とする請求項１に記載の移動通信システム。
【請求項３】
前記送信手段は、前記記憶手段が記憶する情報に基づいて音声通信時の再生音量を制御する制御信号を生成し、この制御信号を前記移動局に送信し、
前記制御手段は、音声通信を行う場合に、前記制御信号に基づく音量で、受話音声を拡声出力するように制御することを特徴とする請求項１に記載の移動通信システム。
【請求項４】
前記送信手段は、前記記憶手段が記憶する情報に基づいて音声通信時の再生音域を制御する制御信号を生成し、この制御信号を前記移動局に送信し、
前記制御手段は、音声通信を行う場合に、前記制御信号に基づく音域で、受話音声を拡声出力するように制御することを特徴とする請求項１に記載の移動通信システム。
【請求項５】
前記移動局は、さらに文字情報を表示する表示手段を備え、
前記送信手段は、前記記憶手段が記憶する情報に基づいて情報表示に関わる制御信号を生成し、この制御信号を前記移動局に送信し、
前記制御手段は、前記表示手段に情報を表示する場合に、文字情報を前記制御信号に基づく大きさで前記表示手段に表示するように制御することを特徴とする請求項１に記載の移動通信システム。
【請求項６】
前記移動局は、さらに文字情報を表示する表示手段を備え、
前記送信手段は、前記記憶手段が記憶する情報に基づいて情報表示に関わる制御信号を生成し、この制御信号を前記移動局に送信し、
前記制御手段は、前記表示手段に電子メールを表示する場合に、その文字情報を前記制御信号に基づく大きさで前記表示手段に表示するように制御することを特徴とする請求項１に記載の移動通信システム。
【請求項７】
移動局と無線通信し、ネットワークに接続する移動通信システムにおいて、
前記移動局のユーザの情報を記憶する記憶手段と、
この記憶手段が記憶する情報に応じて、前記移動局宛ての音声信号の音量を制御し、この制御した音声信号を前記移動局に送信する送信手段とを具備することを特徴とする移動通信システム。
【請求項８】
移動局と無線通信し、ネットワークに接続する移動通信システムにおいて、
前記移動局のユーザの情報を記憶する記憶手段と、
この記憶手段が記憶する情報に応じて、前記移動局宛ての音声信号の音域を制御し、この制御した音声信号を前記移動局に送信する送信手段とを具備することを特徴とする移動通信システム。
【請求項９】
移動局と無線通信し、ネットワークに接続する移動通信システムにおいて、
前記移動局のユーザの情報を記憶する記憶手段と、
前記移動局宛ての電子メールの本文の文字情報をHTML形式に変換するとともに、このHTML形式に変換した文字情報を、前記記憶手段が記憶する情報に応じたサイズで表示させる記述を前記本文に加えた電子メールを生成し、この電子メールを前記移動局に送信する送信手段とを具備することを特徴とする移動通信システム。
【請求項１０】
移動局と無線通信し、ネットワークに接続する移動通信システムにおいて、
前記移動局のユーザの情報を記憶する記憶手段と、
前記移動局宛ての電子メールの文字情報を、前記記憶手段が記憶する情報に応じたサイズで表示させる記述を前記電子メールのヘッダに加え、この電子メールを前記移動局に送信する送信手段とを備え、
前記移動局は、
文字情報を表示する表示手段と、
電子メールを受信する受信手段と、
この受信手段が受信した電子メールのヘッダに記述される情報に基づくサイズで、前記電子メールの本文を前記表示手段に表示させる制御手段とを具備することを特徴とする移動通信システム。
【発明の詳細な説明】
【技術分野】
【０００１】
この発明は、例えば携帯電話システムやPHS(Personal Handyphone System)などの移動通信システムに関する。
【背景技術】
【０００２】
周知のように、従来の携帯電話機は、通話音量を変更する場合、ユーザが手動で携帯電話機を操作していた（例えば、特許文献１参照）。  
しかしながら、従来では、例えば高齢者などがユーザの場合、操作方法が理解できず、所望の設定を容易に行えないという問題があった。
【特許文献１】特開２００６−１５７６１１公報。
【発明の開示】
【発明が解決しようとする課題】
【０００３】
従来では、例えば高齢者などがユーザの場合、操作方法が理解できず、所望の設定を容易に行えないという問題があった。  
この発明は上記の問題を解決すべくなされたもので、ユーザによる操作が不要で、快適な運用設定を自動的に行うことが可能な移動通信システムを提供することを目的とする。
【課題を解決するための手段】
【０００４】
上記の目的を達成するために、この発明は、移動局と無線通信し、ネットワークに接続する移動通信システムにおいて、移動局のユーザの情報を記憶する記憶手段と、この記憶手段が記憶する情報に応じた制御信号を、移動局に送信する送信手段とを備え、移動局は、制御信号を受信する受信手段と、この受信手段が受信した制御信号に基づいて、自己の動作を制御する制御手段とを具備して構成するようにした。
【発明の効果】
【０００５】
以上述べたように、この発明では、ネットワークに収容される管理装置が、移動局のユーザの情報に応じた制御信号を移動局に送信し、これに対して移動局は、上記制御信号に応じて、自己の動作を制御するようにしている。
【０００６】
したがって、この発明によれば、ネットワークに収容される管理装置が、移動局のユーザの情報に応じて移動局の動作を制御できるので、ユーザによる操作が不要で、快適な運用設定を自動的に行うことが可能な移動通信システムを提供できる。
【発明を実施するための最良の形態】
【０００７】
以下、図面を参照して、この発明の一実施形態について説明する。  
図１は、この発明の一実施形態に係わる移動通信システムの構成を示すものである。図１に示す移動通信システムは、主たる構成要素として、PHS端末１００と、PHS基地局２００と、公衆網３００と、管理センタ４００を備えている。なお、以下の説明では、移動通信システムの一例として、PHS(Personal Handyphone System)を例に挙げて説明するが、携帯電話システムなどその他の移動通信システムに適用することができる。
【０００８】
PHS端末１００は、ユーザインターフェイス部１１０と、通話部１２０と、通信部１３０と、設定制御部１４０と、設定記憶部１５０とを備える。  
ユーザインターフェイス部１１０は、LCD(Liquid Crystal Display)などを用いて視覚的に情報（文字や映像）を示す表示部と、複数のキーを備えてユーザからの要求を受け付けるキー入力部とを備える。
【０００９】
通話部１２０は、ユーザの送話音声を入力するためのマイクロホン、通話相手からの受話音声を拡声出力するスピーカ、これらより入出力される音声信号を増幅するアンプ、上記音声信号の音質を可変するイコライザなどを備える。なお、これらの構成は、後述する設定記憶部１５０が記憶する複数の動作パラメータに基づいて動作する。すなわち、アンプは、上記動作パラメータに応じた利得で音声信号を増幅し、イコライザは、音声信号の各帯域について上記動作パラメータに応じて増幅もしくは減衰させる。
【００１０】
通信部１３０は、PHS基地局２００と無線通信し、公衆網３００、PHS基地局２０１を通じて、通話相手となるPHS端末１０１と、音声信号の送受信を行ったり、あるいはPHS基地局２００と無線通信し、公衆網３００を通じて、管理センタ４００と通信するものである。
【００１１】
設定制御部１４０は、管理センタ４００からの要求に応じて、設定記憶部１５０が記憶する動作パラメータの更新を行ったり、ユーザインターフェイス部１１０を通じてユーザから入力された動作パラメータを、通信部１３０を制御して管理センタ４００に送信するものである。
【００１２】
設定記憶部１５０は、当該PHS端末１００の動作を決定する種々の動作パラメータを記憶するものであって、例えば、通話部１２０のアンプの利得や、同じくイコライザの動作を決定するパラメータを記憶する。
【００１３】
PHS基地局２００は、管理センタ４００や他のPHS基地局２０１と公衆網３００を通じて通信するネットワーク通信部２１０と、PHS端末１００と無線通信する端末通信部２２０とを備える。
【００１４】
管理センタ４００は、通信部４１０と、ユーザ情報記憶部４２０と、自動設定部４３０と、設定通知制御部４４０とを備える。  
通信部４１０は、公衆網３００およびPHS基地局２００を通じて、PHS端末１００と通信するものである。
【００１５】
ユーザ情報記憶部４２０は、後述の自動設定部４３０による自動設定もしくはユーザからの要求に応じてユーザ毎に設定された動作パラメータを、テーブル化して記憶するものである。図２にその一例を示す。この図に示すように、各ユーザ毎に、電話番号とユーザ名に対応付けて、年齢、自動設定の契約の有無、音量の設定値、音域変更処理の有無や種別を記憶する。
【００１６】
自動設定部４３０は、図３に示すような予め固定して設定された標準テーブルを記憶しており、すべてのユーザのうち、上記自動設定の契約を行っているユーザか、あるいは所定の年齢（例えば６０歳）以上のユーザについて、ユーザ情報記憶部４２０が記憶する音量設定値および音域変更処理を、上記標準テーブルにしたがいユーザの年齢に応じた情報に変更するものである。
【００１７】
例えば、自動設定の契約を行っている７０歳のユーザについては、自動設定部４３０は、上記標準テーブルに基づいて、図２に示すように、音量設定値を「特大」に設定するとともに、音域変更処理を「高音強調処理」に設定する。なお、ユーザからの要求があった場合は、上記標準テーブルよりも、ユーザの要求を優先して、ユーザ情報記憶部４２０のテーブルにパラメータの設定を行う。
【００１８】
設定通知制御部４４０は、PHS端末１００が通話を開始する直前において、通信部４１０を制御して、PHS端末１００と通信リンクを確立し、この通信リンクを通じてPHS端末１００から固有の識別情報（電話番号）を取得して、自動設定部４３０と連携しユーザ認証を行う。そして設定通知制御部４４０は、ユーザ情報記憶部４２０が記憶するテーブルから、上記ユーザ認証により確認したユーザの動作パラメータを読み出して、上記通信リンクを通じて設定するものである。
【００１９】
また設定通知制御部４４０は、ユーザの要求によりPHS端末１００から動作パラメータの変更が通知された場合に、この通知に従って、ユーザ情報記憶部４２０が記憶する動作パラメータを、ユーザが要求するパラメータに変更する。
【００２０】
次に、上記構成の移動通信システムの動作について説明する。  
まず、管理センタ４００の自動設定部４３０および設定通知制御部４４０によって、PHS端末１００に動作パラメータを自動設定する処理について説明する。この処理は、管理センタ４００がPHS端末１００への着信もしくはPHS端末１００からの発信を検出すると、図４に示すフローチャートにしたがってなされる。
【００２１】
まずステップＳ４０１において設定通知制御部４４０は、通信部４１０を制御して、PHS端末１００と通信リンクを確立し、この通信リンクを通じてPHS端末１００から固有の識別情報（電話番号）を取得する。そして、自動設定部４３０が、この取得した電話番号に対応するユーザの年齢および自動設定契約に関わる情報をユーザ情報記憶部４２０が記憶するテーブルから読み出し、ステップＳ４０２に移行する。
【００２２】
ステップＳ４０２において自動設定部４３０は、ステップＳ４０１で読み出した年齢が、予め設定された年齢（例えば６０歳）以上であるか否かを判定する。ここで、予め設定された年齢以上の場合には、ステップＳ４０４に移行し、一方、予め設定された年齢未満の場合には、ステップＳ４０３に移行する。
【００２３】
ステップＳ４０３において自動設定部４３０は、ステップＳ４０１で読み出した自動設定契約に関わる情報に基づいて、自動設定契約が「あり」であるか否かを判定する。ここで、自動設定契約が「あり」の場合には、ステップＳ４０４に移行し、一方、自動設定契約が「なし」の場合には、当該処理を終了する。
【００２４】
ステップＳ４０４において自動設定部４３０は、予め記憶している標準テーブル（図３）を参照し、ステップＳ４０１で読み出した年齢に対応づけられた「音量設定値」および「音域変更処理」の各情報（動作パラメータ）を検出する。そして自動設定部４３０は、ユーザ情報記憶部４２０が記憶するテーブル（図２）のうち、ステップＳ４０１で自動設定部４３０が取得した電話番号に対応する「音量設定値」および「音域変更処理」の各情報を、上記検出した「音量設定値」および「音域変更処理」の各情報で更新し、ステップＳ４０５に移行する。
【００２５】
ステップＳ４０５において設定通知制御部４４０は、ステップＳ４０１で取得したPHS端末１００の電話番号に対応する「音量設定値」および「音域変更処理」の各情報を、ユーザ情報記憶部４２０が記憶するテーブルから読み出する。そして、設定通知制御部４４０は、通信部４１０を制御して、ステップＳ４０１でPHS端末１００との間に確立した通信リンクを通じ、上記読み出した「音量設定値」および「音域変更処理」の各情報をPHS端末１００に送信し、当該処理を終了する。
【００２６】
次に、図５を参照して、発着信に伴ってこれから通話を行おうとするPHS端末１００に、管理センタ４００が動作パラメータを自動設定する処理を、当該移動通信システムの全体のシーケンスで説明する。この処理は、発着信制御やそれに対する応答が行われて、通話確立前の認証動作（Ｓ５００）が行われた後から、実際の通話が行われるまでに間に実施される。
【００２７】
シーケンスＳ５０１において管理センタ４００は、PHS端末１００と通信リンクを確立し、この通信リンクを通じてPHS端末１００から固有の識別情報（電話番号）を取得し、この取得した電話番号に対応するユーザの年齢および自動設定契約に関わる情報をユーザ情報記憶部４２０が記憶するテーブルから読み出す（ステップＳ４０１）。
【００２８】
次にシーケンスＳ５０２において管理センタ４００は、予め記憶している標準テーブル（図３）を参照し、シーケンスＳ５０１で読み出した年齢に対応づけられた「音量設定値」および「音域変更処理」の各情報を、PHS端末１００の「音量設定値」および「音域変更処理」の各情報としてユーザ情報記憶部４２０が記憶するテーブル（図２）に記録する（ステップＳ４０２〜Ｓ４０４）。
【００２９】
そしてシーケンスＳ５０３において管理センタ４００は、PHS端末１００に宛てて、シーケンスＳ５０２で記録した「音量設定値」および「音域変更処理」の各情報（動作パラメータ）を送信する（ステップＳ４０５）。
【００３０】
これに対してPHS基地局２００は、ネットワーク通信部２１０が公衆網３００を通じて管理センタ４００から送られるPHS端末１００に宛ての動作パラメータを受信し（シーケンスＳ５０４）、そしてこの受信した動作パラメータを端末通信部２２０がPHS端末１００に宛てて無線送信する（シーケンスＳ５０５）。
【００３１】
これに対してPHS端末１００は、通信部１３０がPHS基地局２００から上記動作パラメータを受信し（シーケンスＳ５０６）、この受信した動作パラメータを設定制御部１４０が設定記憶部１５０に記録する（シーケンスＳ５０７）。これにより、以後PHS端末１００は、新たに設定記憶部１５０に設定された動作パラメータに基づいて動作する。
【００３２】
すなわち、PHS端末１００は、管理センタ４００より送られた「音量設定値」の動作パラメータに基づく利得で通話部１２０のアンプを動作させるとともに、管理センタ４００より送られた「音域変更処理」の動作パラメータに基づいて、通話部１２０のイコライザが音声信号の各帯域を増幅もしくは減衰させる。
【００３３】
以後、PHS端末１００は、管理センタ４００の管理の下、通話相手であるPHS端末１０１との間に通話がなされる（シーケンスＳ５０８）。そしてこの通話において、PHS端末１００では、例えばユーザが７０歳であった場合、「音量設定値」の動作パラメータが「特大」と設定されるため、これに基づく利得で通話部１２０のアンプを動作させて、大きな音量で通話相手の音声が拡声出力されることになる。また「音域変更処理」については、動作パラメータが「高音強調処理」と設定されるため、これに基づいて高い周波数の音声信号がイコライザにより強調されて拡声出力されることになる。
【００３４】
なお、「音量設定値」の動作パラメータが「大」と設定される場合には、「特大」の場合に比べて小さな音量で通話相手の音声が拡声出力されるように、通話部１２０のアンプの利得が制御される。「音量設定値」の動作パラメータが「中」や「小」の場合には、それに準じて「大」の場合に比べて小さな音量で通話相手の音声が拡声出力されるように、通話部１２０のアンプの利得が制御される。
【００３５】
また、「音域変更処理」の動作パラメータが「低音強調処理」と設定される場合には、これに基づいて低い周波数の音声信号がイコライザにより強調されて拡声出力されることになる。また「音域変更処理」の動作パラメータが「なし」と設定される場合には、イコライザは、特定の帯域を強調することはなく、あるいは予め設定された特性で各帯域を増幅または減衰させ、受話音声を拡声出力することになる。
【００３６】
次に、図６を参照して、ユーザからの要求に応じてPHS端末１００が、管理センタ４００が管理する動作パラメータを変更する処理を、当該移動通信システムの全体のシーケンスで説明する。この処理は、ユーザがユーザインターフェイス部１１０を通じた要求を行うことにより開始される。
【００３７】
まずPHS端末１００において、ユーザがユーザインターフェイス部１１０を通じて、動作パラメータの変更要求を行い、これを設定制御部１４０が受け付ける（シーケンスＳ６０１）。ここでは一例として、「音量設定値」の動作パラメータを「中」、「音域変更処理」の動作パラメータを「高音強調処理」と設定する入力をユーザが行ったものとして、以下を説明する。
【００３８】
次にPHS端末１００では、設定制御部１４０が通信部１３０を制御して、シーケンスＳ６０１で受け付けた動作パラメータを、自己の識別情報（電話番号）とともに管理センタ４００に送信する（シーケンスＳ６０２）。これに対してPHS基地局２００では、端末通信部２２０がPHS端末１００から送信される動作パラメータを受信し（シーケンスＳ６０３）、この受信した動作パラメータをネットワーク通信部２１０が公衆網３００を通じて、管理センタ４００に送信する（シーケンスＳ６０４）。
【００３９】
これに対して管理センタ４００では、PHS基地局２００を通じて送られる動作パラメータおよび識別情報（電話番号）を通信部４１０が受信する（シーケンスＳ６０５）。そして、管理センタ４００では、設定通知制御部４４０が、ユーザ情報記憶部４２０が記憶する動作パラメータのうち、シーケンスＳ６０５で受信した電話番号（PHS端末１００）に対応する動作パラメータを、シーケンスＳ６０５で受信した動作パラメータに変更し（シーケンスＳ６０６）、当該処理を終了する。
【００４０】
これにより、ユーザ情報記憶部４２０が記憶する動作パラメータのうち、PHS端末１００の動作パラメータは、「音量設定値」の動作パラメータが「中」に、「音域変更処理」の動作パラメータが「高音強調処理」にそれぞれ設定され、以後、PHS端末１００に発着信が生じると、図５に示したシーケンスにしたがって、ユーザが設定した動作パラメータがPHS端末１００に設定されることになる。
【００４１】
以上のように、上記構成の移動通信システムでは、ユーザの年齢に応じて、管理センタ４００がPHS端末１００における拡声出力の音量や音域の特性を制御するようにしている。したがって、上記構成の移動通信システムによれば、ユーザによる操作が不要で、快適な運用設定を自動的に行うことができる。
【００４２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４３】
その一例として例えば、上記の説明では、年齢で動作パラメータを制御する場合を例に挙げて説明したが、ユーザ情報はこれに限定されるものではない。例えば、聴覚障害などの情報をユーザ情報として設定するようにしてもよい。またドライブモードなど、管理センタ４００側で把握可能なPHS端末１００の設定モードをユーザ情報として用いるようにしてもよい。
【００４４】
また上記実施の形態では、管理センタ４００がPHS端末１００の動作パラメータを制御することで、PHS端末１００における拡声出力の音量や音域の特性を制御するように構成したが、これに代わって例えば、管理センタ４００が、PHS端末１００とその通話相手となるPHS端末１０１との間でやり取りされる音声信号を、ユーザの年齢に応じた信号処理を施すことで、PHS端末１００における拡声出力の音量や音域の特性を制御するようにしてもよい。
【００４５】
この場合の具体的な処理としては、図４で説明したように、管理センタ４００において、自動設定部４３０および設定通知制御部４４０の制御により、ユーザの年齢などに応じてユーザ情報記憶部４２０が記憶するテーブルを更新する。そして新たに設けた信号処理部が、上記テーブルにしたがって、PHS端末１０１からPHS端末１００に送信する音声信号の音量や音域の特性を制御し、これをPHS端末１００に送信すればよい。
【００４６】
また近時、PHS端末や携帯電話機では、公衆網３００を通じてインターネットに収容されるメールサーバと通信して、電子メールの送受信を行う機能を備えるのが一般的となっている。上記実施の形態では、音声通信の場合を例に挙げて説明したが、電子メールの送受信に適用することも可能である。
【００４７】
PHS端末１００は、受信した電子メールをユーザインターフェイス部１１０の表示部に表示する。この際、例えば高齢者や視覚障害を有するユーザの場合、表示される電子メールのテキスト情報が小さいために見にくいことが考えられる。このように見にくい電子メールのテキスト情報をユーザが見やすくするために、管理センタ４００がPHS端末１００の動作パラメータを制御する。
【００４８】
この場合の具体的な処理としては、管理センタ４００において、図４で説明したように、自動設定部４３０および設定通知制御部４４０の制御により、ユーザの年齢などに応じて、文字の表示サイズを決定する動作パラメータを決定し、これをユーザ情報記憶部４２０が記憶するテーブルに記録する。そしてこのテーブルに記録した上記動作パラメータをPHS端末１００に送信する。
【００４９】
一方、PHS端末１００は、動作パラメータを設定記憶部１５０に記憶しており、表示部はこの動作パラメータにしたがったサイズの文字で電子メールのテキスト情報を表示するものであって、設定制御部１４０が管理センタ４００から動作パラメータを受信すると、この受信した動作パラメータで設定記憶部１５０が記憶する動作パラメータを更新する。
【００５０】
これによれば、ユーザの年齢などの情報に基づく管理センタ４００の判断に応じた文字サイズで、PHS端末１００がテキスト情報の表示を行うので、ユーザによる操作が不要で、電子メールの内容を確認するのに、快適な運用設定を行うことができる。
【００５１】
なお、文字サイズの制御は、電子メールに限らず、その他、ユーザインターフェイス部１１０の表示部に表示される文字であれば、同様に制御するようにしてもよい。すなわち、メニューや操作説明などのテキスト情報についても同様に制御するようにしてもよい。またＷｅｂを閲覧するブラウザ機能を備える端末装置においては、表示するテキスト情報を上記動作パラメータにしたがった文字サイズで表示するようにすれば、同様の効果が得られる。
【００５２】
さらには、表示する文字サイズを管理センタ４００が決定した動作パラメータにしたがう構成について説明したが、これに限定されるものではない。例えば、管理センタ４００と同じ構成を備えるメールサーバ（あるいはメールサーバの機能を備える管理センタ４００）において、PHS端末１００に送信すべき電子メールの本文をHTML(Hyper Text Markup Language)形式の電子メールに変換し、その際に本文の文字をユーザの年齢に応じたサイズで表示するように編集してPHS端末１００に送信するようにしてもよい。
【００５３】
この場合の具体的な処理としては、図４で説明したように、メールサーバ（もしくは管理センタ４００）において、自動設定部４３０および設定通知制御部４４０の制御により、ユーザの年齢などに応じてユーザ情報記憶部４２０が記憶するテーブルを更新する。そして新たに設けたメール編集処理部が、PHS端末１００宛てに送信する電子メールの本文をHTML形式の電子メールに変換し、その際に上記本文の文字を上記テーブルにしたがった文字サイズで表示する記述を加え、このようにして編集された内容を本文として含む電子メールをPHS端末１００に送信する。
【００５４】
これによれば、ユーザの年齢などの情報に基づくメールサーバ（もしくは管理センタ４００）の判断に応じた文字サイズで、PHS端末１００がテキスト情報の表示を行うので、ユーザによる操作が不要で、電子メールの内容を確認するのに、快適な運用設定を行うことができる。
【００５５】
また上述したように、HTML形式の電子メールに、文字の表示サイズを指定する記述を加える手法以外でも実現できる。例えば、管理センタ４００が、ヘッダ制御手段を新たに備え、これにより電子メールのヘッダに、上記テーブルにしたがって文字の表示サイズを指定する情報を付加し、PHS端末１００は、上記ヘッダで指定される情報に基づく表示サイズで、電子メールのテキスト情報を表示するようにする。このような構成でも同様の効果を奏する。  
その他、この発明の要旨を逸脱しない範囲で種々の変形を施しても同様に実施可能であることはいうまでもない。
【図面の簡単な説明】
【００５６】
【図１】この発明に係わる移動通信システムの一実施形態の構成を示す図。
【図２】図１に示した管理センタのユーザ情報記憶部が記憶するテーブルの一例を示す図。
【図３】図１に示した管理センタの自動設定部が記憶する標準テーブルの一例を示す図。
【図４】図１に示した管理センタの自動設定部および設定通知制御部による動作パラメータの自動設定処理を説明するフローチャート。
【図５】図１に示した管理センタがPHS端末に動作パラメータを設定する動作を説明するフローチャート。
【図６】図１に示したPHS端末が管理センタの動作パラメータを更新する動作を説明するフローチャート。
【符号の説明】
【００５７】
１００，１０１…PHS端末、１１０…ユーザインターフェイス部、１２０…通話部、１３０…通信部、１４０…設定制御部、１５０…設定記憶部、２００，２０１…PHS基地局、２１０…ネットワーク通信部、２２０…端末通信部、３００…公衆網、４００…管理センタ、４１０…通信部、４２０…ユーザ情報記憶部、４３０…自動設定部、４４０…設定通知制御部。
【図１】
2008085646.tif 000003
【図２】
2008085646.tif 000004
【図３】
2008085646.tif 000005
【図４】
2008085646.tif 000006
【図５】
2008085646.tif 000007
【図６】
2008085646.tif 000008